(57)【要約】  ヒンジ式蓋（９）を有するタバコ製品用硬質包装体（１）は、少なくとも１つのタバコ製品群（２３）と、少なくとも１つの包装（２）であり、タバコ製品群（２３）を封入し、再貼付型密封フラップ（２５）によって閉じられるタバコ製品取出口（２４）を有する包装と、包装（２）を収容する外側容器（４）と、蓋（９）であり、後壁（１３）を有し、外側容器（４）に対して蓋（９）を回転させるように、外側容器（４）の後壁（７）にヒンジ式に取り付けられた蓋と、内側容器（３）であり、包装（２）を収容し、外側容器（４）の内部に摺動可能に配置された内側容器と、持ち上げ機構（１８）であり、蓋（９）の回転運動を利用して、内側容器（３）を外側容器（４）に対して、内側容器（３）が外側容器（４）内に完全に差し込まれる下降位置と、内側容器（３）が外側容器（４）から部分的に引き出される取出位置との間を移動させる持ち上げ機構と、を有する。
2018531850.tif 000002
【特許請求の範囲】
【請求項１】
ヒンジ式蓋（９）を有するタバコ製品用硬質包装体（１）であって、
少なくとも１つのタバコ製品群（２３）と、
少なくとも１つの包装（２）であり、前記タバコ製品群（２３）を封入し、再貼付型の密封フラップ（２５）によって閉じられるタバコ製品取出口（２４）を有する、包装（２）と、
前壁（６）及び後壁（７）を有する外側容器（４）と、
蓋（９）であり、後壁（１３）を有し、前記外側容器（４）に対して該蓋（９）を回転させるように、前記外側容器（４）の前記後壁（７）にヒンジ式に取り付けられた、蓋（９）と、
内側容器（３）であり、後壁（１７）を有し、前記包装（２）を収容し、前記外側容器（４）の内部に摺動可能に配置された、内側容器（３）と、
持ち上げ機構（１８）であり、前記蓋（９）の回転運動を利用して、前記内側容器（３）を前記外側容器（４）に対して、前記内側容器（３）が前記外側容器（４）内に完全に差し込まれる下降位置と、前記内側容器（３）が前記外側容器（４）から部分的に引き出される取出位置との間を移動させるように、前記内側容器（３）を前記蓋（９）に接続する、持ち上げ機構（１８）と、を備え、
前記包装（２）が、再貼付型の密封フラップ（２５）によって閉じられるタバコ製品取出口（２４）を有し、
前記持ち上げ機構（１８）が、硬質接続タブ（１９）を備え、該硬質接続タブが、一方の側において、前記内側容器（３）の前記後壁（１７）に直接ヒンジ式に取り付けられ、前記蓋（９）の前記後壁（１３）に接着されることを特徴とする、タバコ製品用硬質包装体。
【請求項２】
前記密封フラップ（２５）が、前記密封フラップ（２５）の底部に配置された把持可能な保持タブ（２７）を備える、請求項１に記載のタバコ製品用硬質包装体（１）。
【請求項３】
前記密封フラップ（２５）の前記保持タブ（２７）が、前記密封フラップ（２５）の他の部分に対して「Ｕ」字状に折り曲げられる、請求項２に記載のタバコ製品用包装体（１）。
【請求項４】
前記保持タブ（２７）が、常に、前記外側容器（４）の前記前壁（６）の上縁（３６）よりも高く配置されている、請求項２又は３に記載のタバコ製品用包装体（１）。
【請求項５】
前記蓋（９）を開閉することによって、すなわち、前記内側容器（３）を前記外側容器（４）に対して長手方向に昇降させることによって、前記密封フラップ（２５）の前記保持タブ（２７）が、前記外側容器（４）の前記前壁（６）の上縁（３６）から出入りする、請求項２又は３に記載のタバコ製品用包装体（１）。
【請求項６】
前記蓋（９）が閉位置にある場合、前記内側容器（３）が前記下降位置に配置され、前記密封フラップ（２５）の前記保持タブ（２７）が、前記外側容器（４）の内部に少なくとも部分的に配置され、このため、前記外側容器（４）の前記前壁（６）によって少なくとも部分的に覆われ、
前記蓋（９）が開位置にある場合、前記内側容器（３）が前記取出位置に配置され、前記密封フラップ（２５）の前記保持タブ（２７）が、前記外側容器（４）の外側に完全に配置され、このため、前記外側容器（４）の前記前壁（６）から完全に解放されている、請求項５に記載のタバコ製品用包装体（１）。
【請求項７】
前記密封フラップ（２５）が保持タブ（２７）を備え、該保持タブが、前記密封フラップ（２５）の底部に配置され、永久接着剤によって、前記蓋（９）の前壁（１２）の内面に、恒久的にかつ分離できないように接着される、請求項１に記載のタバコ製品用包装体（１）。
【請求項８】
前記内側容器（３）が前壁（１６）を備え、該前壁が、前記外側容器（４）の前記前壁（６）と接するように配置され、前記保持タブ（２７）と重ならないように、常に、前記密封フラップ（２５）の前記保持タブ（２７）よりも低く配置される、請求項１から７の何れか一項に記載のタバコ製品用包装体（１）。
【請求項９】
前記持ち上げ機構（１８）が硬質補強タブ（２０）を備え、該硬質補強タブが、前記接続タブ（１９）にヒンジ式に取り付けられ、前記接続タブ（１９）に重なり接着される、請求項１から８の何れか一項に記載のタバコ製品用包装体（１）。
【請求項１０】
前記包装（２）が、切り込み（３１）を有し折り曲げられたラッパー（３０）から構成され、前記切り込み（３１）が、前記取出口（２４）を画定し前記密封フラップ（２５）によって完全に覆われ、
前記密封フラップ（２５）と前記ラッパー（３０）との間には、再貼付型接着剤が配置される、請求項１から９の何れか一項に記載のタバコ製品用包装体（１）。
【発明の詳細な説明】
【技術分野】
【０００１】
本発明は、ヒンジ式蓋と、再貼付型密封フラップ(re-stick sealing flap)を有する包装と、を備えたタバコ製品用硬質包装体に関する。
【０００２】
本発明は、タバコ包装体において有用な用途を見いだし、一般性を緩めることなく、以下の説明において明示的に言及する。
【背景技術】
【０００３】
タバコ包装体は、通常、ラッパー（wrapper）にくるまれたタバコ群から構成される内包装（inner wrap）と、内包装を囲む外包装（outer wrap）であって、内包装の周りに折り曲げられた、カップ状の（with the shape of a cup）ラッパー（軟質タバコ包装体）から構成されるか、又は内包装（硬質タバコ包装体）にブランク（blank）を巻きつけることによって形成されたヒンジ式蓋を有する硬質箱から構成される、外包装と、を備える。
【０００４】
従来のタバコ包装体において、タバコ群は、接着剤を使用せずに、金属被覆紙から製造された矩形状内包装により、内部でくるまれ、さらに、接着によって固定された矩形状外包装により、外部からもくるまれている。
【０００５】
タバコは、外部環境の影響に対して非常に敏感であり、大気と接触すると、湿度の変化（タバコが非常に乾燥するか、又は非常に多くの湿気を吸収することがある。）と、含浸させた揮発性物質の蒸発（特に、特殊な香りを有するタバコの場合）の両方により、その官能的特徴を変化させる傾向がある。巻きタバコに含まれるタバコの完全性を保つために、タバコ包装体はセロハンにより包まれ（cellophaned）、すなわち、タバコ包装体には、不浸透性プラスチック材料から製造されたヒートシール外包装が覆っている。しかしながら、ヒートシール外包装は、特に、タバコ包装体を、製造されてから所定の時間が経過した後に用いる場合には、タバコ包装体に収容されたタバコの官能的特徴を完全に保つのに十分ではないことがある。さらに、包装体が最初に開封されると、外包装は（少なくとも部分的に）除去されるため、包装体に収容された巻きタバコのタバコが外部環境と接触し、包装体を最初に開封した少し後に、包装体に収容された巻きタバコを使用しない場合、包装体に残っている巻きタバコの感覚受容的特徴が損なわれる(jeopardized)ことがある。
【０００６】
上述の欠点を回避しようと試みるために、特許文献１（米国特許第４３００６７６号明細書）には、硬質タバコ包装体において、内包装が密封され（すなわち、不浸透性であり）、内包装は、ラッパーであって、不浸透性ヒートシール材料から製造され、そして、再貼付型密封フラップによって閉じられるタバコ取出口を有するラッパーから構成され、換言すると、密封フラップは、再利用可能な接着剤を備え、この接着剤は完全に乾燥せず、密封フラップを、タバコ取出口を閉じる閉位置に何度も貼り付けることができる硬質タバコ包装体が開示されている。利用者が密封フラップをつかみ、密封フラップを持ち上げる（すなわち、開く）ことができるように、把持可能な保持タブが設けられており、この保持タブは、密封フラップの下縁領域に配置され、再利用可能な接着剤を備えていない。
【０００７】
しかしながら、保持タブは、一般に、タバコ取出口を過度に犠牲にしないように小型であり（実際には、保持タブが大きくなればなるほど、タバコ取出口は小さくなる。）、その結果、既知のタバコ包装体では、保持タブはかなり小さく、このため、喫煙者がつかむことは必ずしも容易ではない。
【０００８】
保持タブをつかみやすくするために、保持タブが、密封フラップの他の部分に対して１８０°（すなわち、「Ｕ」字状に）折り曲げられ、蓋の前壁の存在により、その位置に折り曲げられた状態に維持され、そうすることによって、蓋が開くと、保持タブは、弾性復元により密封フラップの他の部分から外されるため、保持タブを容易につかむことができる解決策が提案されている。しかしながら、蓋が閉じると、喫煙者は、密封フラップが望ましくない位置を占めるのを防止するように、したがって、蓋の前壁により誤って折り曲げられるのを防止するように、密封フラップの他の部分に対して保持タブをあらかじめ押圧する（締め付ける）必要があり、その結果、蓋を閉じることは、時に、比較的複雑な操作になることがある。
【０００９】
特許文献２（国際公開第２０１５／１４４５８４号）には、硬質タバコ包装体において、タバコ群と、タバコ群を封入する包装と、外側容器と、外側容器にヒンジ式に取り付けられた蓋と、包装を収容し、外側容器の内部に摺動可能に配置された内側容器と、蓋の回転運動を利用して内側容器を外側容器に対して移動させるように、内側容器を蓋に接続する持ち上げ機構と、を備える硬質タバコ包装体が記載されている。
【００１０】
特許文献３（国際公開第２０１５／０５２３２６号）には、硬質タバコ包装体において、タバコ群と、タバコ群を封入する包装と、包装を収容する外側容器と、外側容器にヒンジ式に取り付けられた蓋と、を備える硬質タバコ包装体が記載されている。包装はタバコ製品取出口を有し、タバコ製品取出口は、再貼付型密封フラップによって閉じられ、把持可能な保持タブを備え、保持タブは、密封フラップの下部に配置され、密封フラップの他の部分に対して「Ｕ」字状に折り曲げられる。
【先行技術文献】
【特許文献】
【００１１】
【特許文献１】米国特許第４３００６７６号明細書
【特許文献２】国際公開第２０１５／１４４５８４号
【特許文献３】国際公開第２０１５／０５２３２６号
【発明の概要】
【発明が解決しようとする課題】
【００１２】
本発明の目的は、ヒンジ式蓋と、再貼付型密封フラップを備えた包装と、を有する硬質包装体において、上述の欠点を有することがない（具体的には、取出口を小さくすることなく、また、蓋の開閉を複雑にすることなく、保持タブを容易につかむことができる）のと同時に、製造するのが簡単かつ安価である硬質包装体を提供することである。
【課題を解決するための手段】
【００１３】
本発明によれば、添付の特許請求の範囲に係る、ヒンジ式蓋と、再貼付型密封フラップを備えた包装と、を有する硬質包装体が提供される。
【００１４】
ここで、本発明の限定的ではない実施形態を示す添付図面を参照して、本発明を説明する。
【図面の簡単な説明】
【００１５】
【図１】本発明に従って製造された、閉じた構成における硬質タバコ包装体の正面斜視図である。
【図２】図１によるタバコ包装体の閉じた構成における背面斜視図である。
【図３】図１によるタバコ包装体の開いた構成における正面斜視図である。
【図４】図１によるタバコ包装体の内側容器の正面斜視図である。
【図５】図１によるタバコ包装体の閉じた構成における正面概略図である。
【図６】図１によるタバコ包装体の開いた構成における正面概略図である。
【図７】図１によるタバコ包装体の閉じた構成における側面概略図である。
【図８】図１によるタバコ包装体の開いた構成における側面概略図である。
【図９】図１によるタバコ包装体の外側容器及び蓋を製造するのに用いられるブランクの平面図である。
【図１０】図４による内側容器を製造するのに用いられるブランクの平面図である。
【図１１】図１による包装体の閉じた構成における密封包装の正面斜視図である。
【図１２】図１１による密封包装に収容されるタバコ群の斜視図である。
【図１３】図１１による密封包装の補強要素の斜視図である。
【図１４】図１１による密封包装の密封フラップの拡大図であり、密封フラップにおける利用可能な接着領域を強調表示している。
【図１５】図１１による密封包装を製造するのに用いられるヒートシールラッパーの平面図である。
【図１６】図１によるタバコ包装体の開いた構成における異なる実施形態の正面斜視図である。
【発明を実施するための形態】
【００１６】
図１、２及び３において、符号１は、全体として、ヒンジ式蓋を有する硬質タバコ包装体を示している。
【００１７】
硬質タバコ包装体１は、密封包装２（図３、６及び８に概略的に表されている。）と、包装２を直接収容する硬質内側容器３（図１、２及び３に表されていないが、図４には完全に表されている。）と、硬質外側容器４であって、内側容器３を外側容器４に対して摺動させ、内側容器３が外側容器４内に完全に差し込まれる下降位置（図１、２、５及び７に示されている。）と、内側容器３が外側容器４から部分的に引き出され、密封包装２に接触可能な取出位置（図３、６及び８に示されている。）との間を直線平行移動により移動させるように、内側容器３を摺動可能に収容する硬質外側容器と、を備えている。
【００１８】
外側容器４の形状は、矩形状断面の平行六面体であり、外側容器は、カップ状であり、そして、開放上端と、開放上端に対向する下壁５と、互いに平行であり対向する前壁６及び後壁７と、互いに平行であり対向する２つの側壁８と、を有している。壁６及び７と側壁８との間には、４つの長手方向角部が画定されているのに対し、壁６、７及び８と下壁５との間には、４つの横方向角部が画定されている。
【００１９】
タバコ包装体１は蓋９を備え、この蓋もカップ状であり、そして、外側容器４の開放上端の閉位置（図１、２、５及び７に示されている。）と開位置（図３、６及び８に示されている。）との間を外側容器４に対して回転するように、ヒンジ１０に沿って外側容器４にヒンジ式に取り付けられている。蓋９は、上壁１１（蓋９が閉位置にある場合、外側容器４の下壁５に平行であり対向する。）と、前壁１２（蓋９が閉位置にある場合、外側容器４の前壁６と同一平面上にある。）と、後壁１３（ヒンジ１０によって外側容器４の後壁７に接続され、そして、蓋９が閉位置にある場合、外側容器４の後壁７と同一平面上にある。）と、互いに平行であり対向する２つの側壁１４（蓋９が閉位置にある場合、外側容器４の対応する側壁８と同一平面上にあり隣接している。）と、を有している。壁１２及び１３と側壁１４との間には、４つの長手方向角部が画定されているのに対し、壁１２、１３及び１４と上壁１１との間には、４つの横方向角部が画定されている。
【００２０】
図４によれば、内側容器３の形状は、矩形状断面の平行六面体であり、内側容器はカップ状であり、そして、開放上端と、開放上端に対向し、外側容器４の下壁５に平行な下壁１５と、外側容器４の前壁６に平行な前壁１６と、外側容器４の後壁７に平行な後壁１７と、を有している。図４に示されている実施形態では、内側容器は側壁を有していない（すなわち、側面が開いている）が、ここでは示されていない変形例では、内側容器３は、さらに、外側容器４の側壁８に平行な側壁を有している。壁１６及び１７と、（設けられている場合）考えられる側壁との間には、４つの長手方向角部が画定されているのに対し、壁１６及び１７と下壁１５との間には、２つの横方向角部が画定されている。
【００２１】
タバコ包装体１についての次の説明では、タバコ包装体１の部品の位置を定めるために、主拡張方向が垂直方向と一致するように包装体１が配置されているものと仮定して、「底(bottom)」及び「上(top)」並びに「前方(front)」及び「後方(rear)」などの用語を用い、このため、下壁及び上壁はそれぞれ、「底部に(at the bottom)」及び「上部に(at the top)」配置され、前壁及び後壁はそれぞれ、「前部(front part)」及び「後部(rear part)」を定める。主拡張方向は、さらに、横方向の移動方向に対して垂直な長手方向の移動方向を定める。
【００２２】
既に上述したように、内側容器３は、内側容器３が外側容器４内に完全に差し込まれ、内側容器３の下壁１５が外側容器４の下壁５に載置されている（すなわち、接している）下降位置（図１、２、５及び７に示されている。）と、内側容器３が外側容器４から部分的に引き出され、内側容器３の下壁１５が、外側容器４の下壁５からゼロ以外の所定の距離（この距離は、外側容器４に対する内側容器３の持ち上げに相当する。）だけ間隔を置いて配置されている取出位置（図３、６及び８に示されている。）との間を、長手方向角部に平行な直線平行移動により外側容器４に対して摺動する。
【００２３】
蓋９の後壁１３は、内側容器３の持ち上げ機構１８（図４に示されている。）によって、内側容器３の後壁１７に恒久的に接続されている。蓋９の後壁１３は、専ら持ち上げ機構１８によって、内側容器３の後壁１７に接続されているが、このことは、持ち上げ機構１８を除いて、蓋９の後壁１３が、内側容器３の後壁１７から完全に分離し、独立していることを意味する。
【００２４】
内側容器３を長手方向に持ち上げるように構成された持ち上げ機構１８は、蓋９の回転運動を利用して、下降位置と取出位置との間、及び取出位置と下降位置との間の、外側容器４に対する内側容器３の軸線方向平行移動（すなわち、摺動運動）を「自動的に」（すなわち、利用者が内側容器３に触れる必要なく）制御し、換言すると、持ち上げ機構１８は、蓋９の回転運動を利用して、内側容器３を外側容器４に対して、下降位置と取出位置との間、及び取出位置と下降位置との間において、「自動的に」（すなわち、利用者が内側容器３に触れる必要なく）軸線方向に平行移動（すなわち、摺動運動）させる。その結果、蓋９の後壁１３を内側容器３の後壁１７に拘束する持ち上げ機構１８により、蓋９が、外側容器４に対して閉位置から開位置に回転すると、内側容器３は、蓋９によって下降位置から取出位置まで「自動的」に（すなわち、利用者が内側容器３に触れる必要なく）引き上げられ、同様に、蓋９の後壁１３を内側容器３の後壁１７に拘束する持ち上げ機構１８により、蓋９が、外側容器４に対して開位置から閉位置に回転すると、内側容器３は、蓋９によって取出位置から下降位置まで「自動的」に（すなわち、利用者が内側容器３に触れる必要なく）押し出される。そうすることによって、利用者は、内側容器３に触れずに、外側容器４に対して蓋９を回転させるのに必要な推力を加えるだけでよく、その平行移動は「自動的に」制御される。
【００２５】
持ち上げ機構１８は、硬質接続タブ１９を備え、この接続タブは、一方の側において、内側容器３の後壁１７に直接ヒンジ式に取り付けられ、蓋９の後壁１３と一体である（接続タブ１９は、通常、蓋９の後壁１３に重なり、接着されている。）。さらに、持ち上げ機構１８は、硬質補強タブ２０を備え、この補強タブは、接続タブ１９にヒンジ式に取り付けられ、接続タブ１９を補強する（強める、強化する）ように、接続タブ１９に重なり接着される。補強タブ２０は、接続タブ１９の操作において役割を果たさない（補強タブ２０がなくても同じように機能する）ため、厳密には必須ではなく、補強タブ２０は、接続タブ１９の動作を（本質的には変化させないが）向上させるように、接続タブ１９を補強する（強める、強化する）ことのみを目的とする。
【００２６】
図９によれば、外側容器４及び蓋９は、既知の種類の（すなわち、ヒンジ式蓋を有する硬質タバコ包装体を製造するのに一般に用いられる種類の）実質的に細長い矩形状である平らなブランク２１から出発して得られる。図９では、可能な場合、外側容器４及び蓋９の対応する壁を示す参照符号と一致する強調された参照符号を用いて、ブランク２１の種々の部分に符号が示される。
【００２７】
図１０によれば、内側容器３は、実質的に細長い矩形状である平らなブランク２２から出発して得られる。図１０では、可能な場合、内側容器３の対応する壁を示す参照符号と一致する強調された参照符号を用いて、ブランク２２の種々の部分に符号が示される。
【００２８】
包装２は、平行六面体の形状によって、タバコ群２３（図１２に示されている。）を封入し、図１１によれば、包装２は、上側及び前側において、再利用可能な密封フラップ２５によって閉じられるタバコ取出口２４を有している。
【００２９】
密封フラップ２５は、乾燥していない再貼付型接着剤２６（図１４に示されている。）によって、包装２に固定されており、再貼付型接着剤は、密封フラップ２５の内面（すなわち、密封フラップ２５の包装２に面する面）に塗布され、密封フラップ２５を、包装２から何度も（すなわち、タバコ包装体１を開くたびに）部分的に分離し、そして包装２に再び固定できるように、取出口２４の周りに配置される。密封フラップ２８は、密封フラップ２５の下部に配置された把持可能な保持タブ２７（すなわち、この保持タブは、蓋９を開いた後に喫煙者が握ることができる。）を備え、喫煙者は、使用時に、指の間に保持タブ２７を保持し、密封フラップ１５を昇降させ、これによって、取出口２４を開閉する。
【００３０】
図３及び５〜８によれば、密封フラップ２５の保持タブ２７は、折り目２８の周りにおいて、密封フラップ２５の他の部分に対して「Ｕ」字状に折り曲げられ（すなわち、１８０°折り曲げられ）、その結果、蓋９を開くと、保持タブ２７の内面が外側に向くようになり、そうすることによって、蓋９を開くと、折り目２８の周りにおける弾性復元により、保持タブ２７は、密封フラップ２５の他の部分から外され、これによって、つかみやすくなる。
【００３１】
図１４によれば、密封フラップ２５の保持タブ２７には、再貼付型接着剤２６が全く含まれていない。図１４に示されている好適な実施形態によれば、再貼付型接着剤２６は、折り目２８からゼロ以外の距離Ｄに配置され、すなわち、再貼付型接着剤２６は、折り目２８に接しないため、折り目２８の近くには、再貼付型接着剤２６を含まない中間スペースが存在する。
【００３２】
図１４に示されている、取り得る実施形態によれば、密封フラップ２５は、永久接着剤(permanent glue)２９であって、包装２の後壁領域、すなわち、密封フラップ２５と包装２との間の分離しない場所に配置される永久接着剤によっても、包装２に接続される。永久接着剤２９の存在によって、密封フラップ２５と包装２とを更に強力かつ確実に接着し、これにより、密封フラップ２５の包装２からの完全な（したがって、望ましくない）分離の危険性が回避される。
【００３３】
図１５によれば、包装２は、ヒートシールラッパー３０を折り曲げることによって得られ、ヒートシール包装は矩形状であり、タバコ群２３に巻きつけられ、折り曲げられた後、ヒートシールによって固定される（すなわち、ラッパー３０の重なり部分は、ヒートシールによって固定されるように互いに接続される。）。ラッパー３０は切り込み３１を有し、切り込みは「Ｕ」字状であり、包装２の取出口２４を画定し、さらに、密封フラップ２５は、切り込み３１（すなわち、取出口２４）を完全に覆うように、ラッパー３０に接着される。密封フラップ２５とラッパー３０との間には、再貼付型接着剤１７が配置され、再貼付型接着剤は、圧力に敏感であり（すなわち、乾燥しておらず）、これによって、喫煙者は、密封フラップ２５をラッパー３０から分離し、そして、長期間にわたり何度でも密封フラップ２５をラッパー３０に再び連結することができる。
【００３４】
密封フラップ２５とラッパー３０との間の圧力に敏感な（すなわち、乾燥していない）再貼付型接着剤１７の存在によって、切り込み３１の内部に封入されたラッパー３０の一部分（すなわち、取出口２４の領域）の密封フラップ２５への恒久的な接着（使用時に分離しない。）が決定され、このため、密封フラップ２５がラッパー３０から持ち上げられると、切り込み３１の内部に封入された密封フラップ２５の一部分（すなわち、取出口の領域）は、密封フラップ２５とともに持ち上げられ、これによって、取出口２４が解放される。さらに、密封フラップ２５とラッパー３０との間の圧力に敏感な（すなわち、乾燥していない）再貼付型接着剤２６の存在によって、切り込み３１の周囲に配置された（すなわち、取出口２４の周囲に配置された）ラッパー３０の一部分と、密封フラップ２５との一時的な接着（使用時に分離している。）が決定され、通常、密封フラップ２５とラッパー３０との接触を維持させて取出口２４を閉じる（密封する）。
【００３５】
図１３によれば、包装２は補強要素３２を備え、この補強要素は、ボール紙又は硬質板紙（外側容器４を構成しているボール紙又は硬質板紙に完全に類似している。）から製造され、「Ｕ」字状であり、タバコ群２３と接するように包装２の内部に配置される。補強要素３２は、矩形状の前壁３３であって、一方の側において、タバコ群２３の前壁と接するように配置され、反対側では、包装２の前壁と接するように配置された前壁と、１対の側壁３４であって、前壁３３の両側に接続されており、一方の側において、タバコ群２３の側壁と接するように配置され、反対側では、包装２の側壁と接するように配置された１対の側壁と、を備えている。補強要素３２の前壁３３は、凹部３５を有し、この凹部は、上側に配置され、「Ｕ」字状であり、取出口領域においてタバコ群２３の前壁の上部領域を露出させるため、タバコ群２３からタバコを取り出すことを可能にする。
【００３６】
図５及び７によれば、蓋９が閉位置にある場合、内側容器３は下降位置に配置され、また、（内側容器３に収容されている）包装２の密封フラップ２５の保持タブ２７は、外側容器４の内部に少なくとも部分的に、すなわち、外側容器４の前壁６の上縁３６よりも低く配置され、換言すると、蓋９が閉位置にある場合（図５及び７に示されている。）、内側容器３は下降位置に配置され、また、包装２の密封フラップ２５の保持タブ２７は、外側容器４の前壁６によって少なくとも部分的に覆われている。
【００３７】
図６及び８によれば、蓋９が開位置にある場合、内側容器３は取出位置に配置され、また、（内側容器３に収容されている）包装２の密封フラップ２５の保持タブ２７は、外側容器４の外側に、すなわち、外側容器４の前壁６の上縁３６よりも高く、完全に配置され、換言すると、蓋９が開位置にある場合（図６及び８に示されている。）、内側容器３は取出位置に配置され、また、包装２の密封フラップ２５の保持タブ２７は、外側容器４の前壁６から完全に解放されている。
【００３８】
蓋９を開閉することによって、すなわち、内側容器３を外側容器４に対して長手方向に昇降させることによって、包装２の密封フラップ２５の保持タブ２７が、外側容器４の前壁６の上縁３６から出入りする。
【００３９】
これに関して、図７及び８から理解できるように、内側容器３の前壁１６は、外側容器４の前壁６を、包装２の前壁からわずかに離れるように維持し、これによって、包装２の密封フラップ２５の保持タブ２７を収容する空所が形成され、その結果、内側容器３の前壁１６の存在により、外側容器４の前壁６が包装２の前壁からわずかに離されるため、包装２の密封フラップ２５の保持タブ２７が、外側容器４の前壁６の上縁３６から容易に出入りする。言うまでもなく、内側容器３の前壁１６は、保持タブ２７と重ならないように、常に、包装２の密封フラップ２５の保持タブ２７よりも低く配置される。
【００４０】
ここでは示されていない、異なる実施形態によれば、包装２の密封フラップ２５の保持タブ２７は、折り目２８の周りにおいて、密封フラップ２５の他の部分に対して１８０°折り曲げられないが、密封フラップ２５と同一平面上にある（図１１、１４及び１５から理解できるように、保持タブ２７がまだ、密封フラップ２５の他の部分に対して１８０°折り曲げられていない。）。また、この実施形態においても、包装２の密封フラップ２５の保持タブ２７は、蓋９を開閉することによって、すなわち、内側容器３を外側容器４に対して長手方向に昇降させることによって、外側容器４の前壁６の上縁３６から出入りする。
【００４１】
ここでは示されていない、異なる実施形態によれば、包装２の密封フラップ２５の保持タブ２７は、常に、外側容器４の前壁６の上縁３６よりも高く配置されており、このため、内側容器３を外側容器４に対して平行移動させても、包装２の密封フラップ２５の保持タブ２７は、外側容器４の前壁６の上縁３６から出入りしない。
【００４２】
ここでは示されていない、更なる実施形態によれば、（折り目２８の周りに１８０°折り曲げられているか又は折り曲げられていない）保持タブ２７は、永久接着剤によって、蓋９の前壁１２の内面に、恒久的にかつ分離できないように接着されており、そうすることによって、蓋９の開閉時に、密封フラップ２５は同時に開閉する。この実施形態は、国際公開第２００８／１４２５４０号及び国際公開第２０１２／１４７０７３号の開示内容を利用するが、これらの文献は、更なる詳細を組み込むのに参照される。言うまでもなく、この実施形態では、包装２の密封フラップ２５の保持タブ２７は、常に、外側容器４の前壁６の上縁３６よりも高く配置されており、このため、内側容器３を外側容器４に対して平行移動させても、包装２の密封フラップ２５の保持タブ２７は、外側容器４の前壁６の上縁３６から出入りしない。具体的には、（保持タブ２７が、蓋９の前壁１２の内面に、恒久的にかつ分離できないように接着されている）この実施形態は、内側容器３を備え、これによって包装２が昇降し、これに伴い蓋９が開閉する。
【００４３】
図１６に示されている変形例において、タバコ包装体１は、互いに近接して配置された２つの包装２を備え、包装はそれぞれ、対応するタバコ群２３を封入し、図１６に示されている実施形態では、それぞれのタバコ群２３は、図１〜５に示されている実施形態のタバコ群２３の半分に相当することが好ましい。図１６に示されている実施形態では、２つの包装２は異なる構成であり、すなわち、左側包装２は、図１〜１５に示されている包装２と完全に類似しており、このため、密封フラップ２５に「Ｕ」字状に折り曲げられた保持タブ２７を有し、対応する内側容器３の動作により、外側容器４に対して長手方向に平行移動し、包装２の密封フラップ２５の保持タブ２７は、蓋９を開閉することによって、外側容器４の前壁６の上縁３６から出入りする。一方、右側包装２では、保持タブ２７は、蓋９の前壁１２の内面に、恒久的にかつ分離できないように接着されている。図１６に示されている実施形態では、右側包装２は内側容器３を備えておらず、このため、蓋９を回転させることによって、外側容器４に対して平行移動せず、または、右側包装２は、それ自体の内側容器３にも連結していてもよく、このため、蓋９を回転させることによって、外側容器４に対して平行移動してもよい（この場合、両方の包装２を収容する単一で共通の内側容器３が存在していてもよい。）。
【００４４】
添付図面に示されている実施形態において、内側容器３の断面は、外側容器４の断面とほぼ同じサイズであり（第１の近似において無視できる最小の間隙を除いて、その摺動運動を許容する。）、このため、内側容器３は、（顕著な自由空間を含まずに）外側容器４の内部容積を完全に占める。ここでは示されていない、異なり完全に同等の実施形態によれば、内側容器３の断面は、外側容器４の断面よりも小さく、その結果、外側容器４の内部容積は、内側容器３が完全に占めておらず、内部容積のかなりの部分（内部容積の２０〜５０％の範囲）は、内側容器３を含まない（すなわち、内側容器が占めていない）。例えば、内側容器３の後壁１７を、外側容器４の後壁７から（少なくとも２．５〜３ｍｍだけ）間隔を置いて配置して、外側容器４の内部に室を画定してもよく、この室は、内側容器３に近接して配置され、持ち上げ機構１８を収容し（例えば、イタリア特許出願公開ＢＯ２０１４Ａ０００５７６号明細書の開示内容に従って、添付図面に示されているものとは異なる形状であることが好ましい。）、室は、内側容器３が占めておらず、専ら持ち上げ機構１８を収容するように構成され、これによって、蓋９がそれぞれ開閉すると、タバコ群２３を封入する包装２を昇降させることが可能である。
【００４５】
添付図面に示されている実施形態において、持ち上げ機構１８は、蓋９の後壁１３と一体である、１つの接続タブ１９のみを有し、ここでは示されていない、他の完全に同等の実施形態によれば、持ち上げ機構１８は、蓋９の上壁１１及び／又は前壁１２と一体であり得る、多数の接続タブ２０を有する。ここでは示されていない、更なる実施形態によれば、接続タブ１９は（硬質ではなく）可撓性であり、このため、制約なしに、完全に自由に変形することができ（当然のことながら、補強タブ２０は設けられていない。）、例えば、接続タブ１９は、横方向に互いに接近して所定の（多）数の弱め線(weakening line)を有していてもよく、これによって、接続タブ１９の可撓性を高めることができる。
【００４６】
上述のタバコ包装体１は、多くの利点を有する。
【００４７】
第一に、上述のタバコ包装体１では、特徴が同じサイズであると仮定すると（具体的には、取出口２４のサイズが同じであると仮定すると）、メーカーは、蓋９を開いて外側容器４に対して包装２（すなわち、包装２を伴う内側容器３）を持ち上げることにより、包装２の前壁の大きな面を露出させることができるため、したがって、同じサイズの取出口２４を有した大きな保持タブ２７を有する（又は、同じサイズの保持タブ２７を有した大きな取出口２４を有する）ことができるため、保持タブ２７のサイズを増やすことができる。
【００４８】
さらに、蓋９を開閉することによって、包装２の密封フラップ２５の保持タブ２７が、外側容器４の前壁６の上縁３６から出入りする場合、利用者は、保持タブ２７について心配することなく、蓋９を動かすだけでよいため、蓋９の閉鎖は非常に簡単であるが、これは、保持タブ２７が、内側容器３の前壁１６と外側容器４の前壁６との間のわずかな距離により、外側容器４の前壁６の上端３６の下で自律的に滑り込むからである。
【００４９】
そして、上述のタバコ包装体１は、既存の製造機械（いくつかの非侵襲的な変更が必要とされる。）においても製造が容易である。実際には、包装２、外側容器４及び蓋９（したがって、対応するラッパー３０及びブランク２１）は、ヒンジ式蓋と既知の種類の密封包装とを有する硬質タバコ包装体の包装、外側容器及び蓋（したがって、対応するラッパー及びブランク）と完全に同一であり、装置に何らかの簡単な変更がなされた場合には、通常クーポンを挿入するのに用いられる装置により、包装２の周りにブランク２１を折り曲げることによって、内側容器３を製造することができる。
【図１】
2018531850.tif 000003
【図２】
2018531850.tif 000004
【図３】
2018531850.tif 000005
【図４】
2018531850.tif 000006
【図５】
2018531850.tif 000007
【図６】
2018531850.tif 000008
【図７】
2018531850.tif 000009
【図８】
2018531850.tif 000010
【図９】
2018531850.tif 000011
【図１０】
2018531850.tif 000012
【図１１】
2018531850.tif 000013
【図１２】
2018531850.tif 000014
【図１３】
2018531850.tif 000015
【図１４】
2018531850.tif 000016
【図１５】
2018531850.tif 000017
【図１６】
2018531850.tif 000018
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
ヒンジ式蓋（９）を有するタバコ製品用硬質包装体（１）であって、
少なくとも１つのタバコ製品群（２３）と、
前記タバコ製品群（２３）を封入する、少なくとも１つの包装（２）と、
前壁（６）及び後壁（７）を有する外側容器（４）と、
蓋（９）であり、後壁（１３）を有し、前記外側容器（４）に対して該蓋（９）を回転させるように、前記外側容器（４）の前記後壁（７）にヒンジ式に取り付けられた、蓋（９）と、
内側容器（３）であり、後壁（１７）を有し、前記包装（２）を収容し、前記外側容器（４）の内部に摺動可能に配置された、内側容器（３）と、
持ち上げ機構（１８）であり、前記蓋（９）の回転運動を利用して、前記内側容器（３）を前記外側容器（４）に対して、前記内側容器（３）が前記外側容器（４）内に完全に差し込まれる下降位置と、前記内側容器（３）が前記外側容器（４）から部分的に引き出される取出位置との間を移動させるように、前記内側容器（３）を前記蓋（９）に接続する、持ち上げ機構（１８）と、を備え、
前記包装（２）が、再貼付型の密封フラップ（２５）によって閉じられるタバコ製品取出口（２４）を有し、
前記持ち上げ機構（１８）が、硬質接続タブ（１９）を備え、該硬質接続タブが、一方の側において、前記内側容器（３）の前記後壁（１７）に直接ヒンジ式に取り付けられ、前記蓋（９）の前記後壁（１３）に接着されることを特徴とする、タバコ製品用硬質包装体。
【請求項２】
前記密封フラップ（２５）が、前記密封フラップ（２５）の底部に配置された把持可能な保持タブ（２７）を備える、請求項１に記載のタバコ製品用硬質包装体（１）。
【請求項３】
前記密封フラップ（２５）の前記保持タブ（２７）が、前記密封フラップ（２５）の他の部分に対して「Ｕ」字状に折り曲げられる、請求項２に記載のタバコ製品用包装体（１）。
【請求項４】
前記保持タブ（２７）が、常に、前記外側容器（４）の前記前壁（６）の上縁（３６）よりも高く配置されている、請求項２又は３に記載のタバコ製品用包装体（１）。
【請求項５】
前記蓋（９）を開閉することによって、すなわち、前記内側容器（３）を前記外側容器（４）に対して長手方向に昇降させることによって、前記密封フラップ（２５）の前記保持タブ（２７）が、前記外側容器（４）の前記前壁（６）の上縁（３６）から出入りする、請求項２又は３に記載のタバコ製品用包装体（１）。
【請求項６】
前記蓋（９）が閉位置にある場合、前記内側容器（３）が前記下降位置に配置され、前記密封フラップ（２５）の前記保持タブ（２７）が、前記外側容器（４）の内部に少なくとも部分的に配置され、このため、前記外側容器（４）の前記前壁（６）によって少なくとも部分的に覆われ、
前記蓋（９）が開位置にある場合、前記内側容器（３）が前記取出位置に配置され、前記密封フラップ（２５）の前記保持タブ（２７）が、前記外側容器（４）の外側に完全に配置され、このため、前記外側容器（４）の前記前壁（６）から完全に解放されている、請求項５に記載のタバコ製品用包装体（１）。
【請求項７】
前記密封フラップ（２５）が保持タブ（２７）を備え、該保持タブが、前記密封フラップ（２５）の底部に配置され、永久接着剤によって、前記蓋（９）の前壁（１２）の内面に、恒久的にかつ分離できないように接着される、請求項１に記載のタバコ製品用包装体（１）。
【請求項８】
前記内側容器（３）が前壁（１６）を備え、該前壁が、前記外側容器（４）の前記前壁（６）と接するように配置され、前記保持タブ（２７）と重ならないように、常に、前記密封フラップ（２５）の前記保持タブ（２７）よりも低く配置される、請求項１から７の何れか一項に記載のタバコ製品用包装体（１）。
【請求項９】
前記持ち上げ機構（１８）が硬質補強タブ（２０）を備え、該硬質補強タブが、前記接続タブ（１９）にヒンジ式に取り付けられ、前記接続タブ（１９）に重なり接着される、請求項１から８の何れか一項に記載のタバコ製品用包装体（１）。
【請求項１０】
前記包装（２）が、切り込み（３１）を有し折り曲げられたラッパー（３０）から構成され、前記切り込み（３１）が、前記取出口（２４）を画定し前記密封フラップ（２５）によって完全に覆われ、
前記密封フラップ（２５）と前記ラッパー（３０）との間には、再貼付型接着剤が配置される、請求項１から９の何れか一項に記載のタバコ製品用包装体（１）。
【国際調査報告】
2018531850.tif 000019
2018531850.tif 000020
2018531850.tif 000021
2018531850.tif 000022
2018531850.tif 000023